(57)【要約】【課題】階高に関わらず、適宜、設置することができ、しかも、段板をぐらつき難い安定した状態とすることができる可変型階段ユニットの提供。【解決手段】斜め上下方向に平行に配置した上弦材１１と下弦材１２とで構成され、幅方向に対向配置される一対の側桁１０と、前記側桁間に略水平に配置され、前記各上弦材１１と前記各下弦材１２とに、回動自在な回動状態、あるいは、回動不能な固定状態で連結される複数の段板２０とを備える。【選択図】      図１
2005232886.tif 000002
【特許請求の範囲】
【請求項１】
斜め上下方向に平行に配置した上弦材と下弦材とで構成され、幅方向に対向配置される一対の側桁と、
前記側桁間に略水平に配置され、前記各上弦材と前記各下弦材とに、回動自在な回動状態、あるいは、回動不能な固定状態で連結される複数の段板と
を備えることを特徴とする可変型階段ユニット。
【請求項２】
最下段に位置する前記段板と階下床面との間隔を調節する調節支持部を備えることを特徴とする請求項１に記載の可変型階段ユニット。
【請求項３】
前記各側桁の内側に設けられ、前記段板を前記上弦材と前記下弦材とに前記回動状態、あるいは、前記固定状態に連結する連結部材を備えることを特徴とする請求項１または請求項２に記載の可変型階段ユニット。
【請求項４】
前記連結部材は、手摺を支持する手摺支持部材を前記段板とともに前記側桁の前記上弦材と前記下弦材とに連結することを特徴とする請求項３に記載の可変型階段ユニット。
【発明の詳細な説明】
【技術分野】
【０００１】
本発明は、階高に関わらずに設置することができる可変型階段ユニットに関するものである。
【背景技術】
【０００２】
一般に、階段は、複数の部材を組み合わせて正確に製作しなければならず、建築現場での階段の施工に際しては高度な技術が要求された。それを鑑み、建築現場で階段の施工に際した煩雑な作業を低減させるため、階段自体を一つの部品単位とする階段ユニットとして、予め工場などの作業性の良い場所で階段を構成する部材を組み合わせて製作しておくことが行われている。このような階段ユニットは、建築現場に階段ユニット自体をそのまま搬入し、階下床面と階上床面との間の所定の位置に設置されるものである。
【０００３】
ところで、階段ユニットは、階高に対応させて製作しなければならないが、これに対し、一つの階段ユニットで、階高に関わらず、適宜、階下から階上に斜めに架設が可能な角度可変階段が考案されている。この角度可変階段は、側桁が斜め上下方向に平行配置された上弦材と下弦材とで構成され、対向配置された一対の側桁間の上弦材と下弦材とに、複数の段板が一定の間隔を有して略水平に軸支されて、夫々の側桁が連結された態様をしたものである。つまり、平行配置された上弦材と下弦材とに、平行配置された複数の段板が軸支されることで形成される平行リンクを構成している。よって、この角度可変階段は、階高に応じて架設角度が変化しても、段板を水平状態に保つことができるので、階高に関係なく、昇降に適する状態で使用できるものである。
【０００４】
【特許文献１】実用新案登録第３０４４９１５号公報
【発明の開示】
【発明が解決しようとする課題】
【０００５】
しかし、従来の角度可変階段は、階高に応じて、適宜、傾斜角度を変化させ、階下から階上へ斜めに架設できるものであるため、段板が側桁に対して可動するように回動自在に連結されていることから、段板が、ぐらつき易く昇降の際には安定感を得ることができなかった。特に、階下と階上との高低差が大きいと段板のぐらつきが、いっそう気になることから安心して昇降することができなかった。そのため、角度可変階段は、恒常的には良好に使用し難いものであり、一時的に利用される仮設階段として使用することに適したものであった。
【０００６】
本発明は、上記実状を鑑みてなされたものであり、階高に関わらず、適宜、設置することができ、しかも、段板をぐらつき難い安定した状態とすることができる可変型階段ユニットの提供を課題とする。
【課題を解決するための手段】
【０００７】
上記課題を解決するための主要な手段は、
「斜め上下方向に平行に配置した上弦材と下弦材とで構成され、幅方向に対向配置される一対の側桁と、
前記側桁間に略水平に配置され、前記各上弦材と前記各下弦材とに、回動自在な回動状態、あるいは、回動不能な固定状態で連結される複数の段板と
を備えることを特徴とする可変型階段ユニット」
である。
【０００８】
ここで、可変型階段ユニットは、上弦材と下弦材と各段板とからなる平行リンクが構成されているため、段板が上弦材と下弦材とに回動自在な回動状態であると、傾斜角度が変化しても、段板が水平状態に保たれることになり、階高に関わらず設置することが可能となる。また、段板が上弦材と下弦材とに固定状態であると、ぐらつき易い不安定な状態であった段板が側桁に対し固定されるため、ぐらつき難い安定した状態となる。よって、本発明の可変型階段ユニットによると、階高に関わらず、適宜、設置することができ、しかも、段板をぐらつき難い安定した状態とすることができる。また、恒常的に使用することにも適した可変型階段ユニットを実現することができる。
【０００９】
上述した手段において、
「最下段に位置する前記段板と階下床面との間隔を調節する調節支持部を備えることを特徴とする可変型階段ユニット」
としてもよい。
【００１０】
ところで、可変型階段ユニットは、階高に応じて傾斜角度が変化するように階段が前後するのであるが、この可変型階段ユニットの前後方向の距離である奥行きが傾斜角度に対応した有効奥行きとなる。よって、可変型階段ユニットは、階高が高くなると傾斜角度が急になるため有効奥行きが狭くなり、階高が低くなると傾斜角度が緩やかになるため有効奥行きが広くなる。
【００１１】
ここで、上記構成の可変型階段ユニットでは最下段の段板の高さが調節支持部により調節可能となるため傾斜角度を変化させることも可能となり、それに順じて、有効奥行きを狭くしたり、広くしたりして変化させることが可能となる。したがって、階高に応じて設置された可変型階段ユニットの傾斜角度と有効奥行きを、調節支持部を調節することで微調整することができる。また、最下段の段板と階下床面とからなる間隔は、調節支持部によって調節されるため、調節支持部を調節することで最下段の蹴上げ高さを高くしたり、低くしたりすることもできる。
【００１２】
上述した各手段において
「前記各側桁の内側に設けられ、前記段板を前記上弦材と前記下弦材とに前記回動状態、あるいは、前記固定状態に連結する連結部材を備えることを特徴とする可変型階段ユニット」
としてもよい。
【００１３】
ここで、連結部材が側桁の外側に設けられていると、側桁の外側に連結部材が露呈し、外見上からも見栄えがよいものではない。これに対し、上記構成の可変型階段ユニットでは、連結部材が各側桁の対向する内側に設けられるため、連結部材が側桁の外側に露呈しない。よって可変型階段ユニットの美観を向上させることができる。また、各側桁の外側を何の障害物もないフラットな状態とすれば、側桁に化粧板を貼り付けるなどの意匠上の工夫をすることも容易となる。
【００１４】
上述した手段において
「前記連結部材は、手摺を支持する手摺支持部材を前記段板とともに前記側桁の前記上弦材と前記下弦材とに連結することを特徴とする可変型階段ユニット」
としてもよい。
【００１５】
ところで、階段に手摺を設ける場合、手摺を支持する手摺支持部材を階段に設置するには、一つ一つの手摺支持部材を同じ精度で側桁あるいは段板に設置しなければならない。例えば、手摺支持部材を垂直に設置するならば、全ての手摺支持部材を正確に垂直状態に位置合わせしなければならない。よって、手摺を階段に設置することは煩雑な作業となる。これに対し、本発明の可変型階段ユニットであれば、手摺支持部材は、側桁に段板と同じ連結部材によって連結されることから、側桁に段板を連結する際に、手摺支持部材も同時に連結することができるため簡便に手摺支持部材の取り付けが行われ、また、全ての手摺支持部材が同じ精度で取り付けられることになる。
【００１６】
ここで、手摺支持部材は、側桁に段板と同じ状態で連結されることになる。よって、連結部材が回動状態であれば可変型階段ユニットが昇降箇所の高低差に応じて傾斜角度を変化させても、手摺支持部材は段板と同じ変化に対応し、手摺支持部材が各段板に対して同姿勢を保ったままの状態となる。したがって、位置合わせが煩雑であった手摺の設置作業が、段板を側桁に取り付けることと同時に行えることで作業性が向上するとともに、傾斜角度が変化しても、段板と手摺支持部材とを同姿勢に保つ可変型階段ユニットを実現することができる。
【発明の効果】
【００１７】
よって、本発明によれば、階高に関わらず、適宜、設置することができ、しかも、段板をぐらつきのない安定した状態にすることのできる可変型階段ユニットを提供することができる。
【発明を実施するための最良の形態】
【００１８】
本発明に係る可変型階段ユニットの実施形態としての一例を、以下に、図面に基いて詳述する。
【００１９】
図１は、本例に係る可変型階段ユニット１００の実施形態を示す斜視図である。可変型階段ユニット１００は、階上床面２００及び階下床面３００からなる高低差を昇降する際に利用され、特に、階高の変化に順じて可変型階段ユニット１００の傾斜角度を変え、階高に応じて設置できるように機能するものである。
【００２０】
本例に係る可変型階段ユニット１００は、斜め上下方向に平行に配置した上弦材１１及び下弦材１２とで構成された側桁１０を備えており、幅方向に対向配置された一対の側桁１０間に、略水平に配置された複数の段板２０が段状に架設されることによって階段として機能している。また、段板２０は、各上弦材１１と各下弦材１２とに、回動自在な回動状態、あるいは、回動不能な固定状態で連結されることによって架設されている。
【００２１】
ここで、側桁１０を構成する上弦材１１と下弦材１２とは、金属を素材とした断面略ロ字状をした長尺の角パイプによって形成されており、上弦材１１と下弦材１２との両端部は、中空部を隠すように、上面から下面までを連続する略Ｒ状に形成されている。なお、上弦材１１と下弦材１２とは、金属を素材とする角パイプによって形成されることに限らず、無垢材であってもよく、また、所定の強度を保つことができれば、木質系素材やプラスチック系素材で形成されていてもよい。
【００２２】
また、段板２０は、略方形に形成された金属板の両端が同じ方向へ略直角に折り曲げられた二つの側片２１を有した形状をしている。段板２０は、金属板によって形成されているが、金属板の特性により、木材やコンクリートなどの他の素材で段板２０が形成されているよりも比較的厚さが薄い板材であっても曲げ強度を保つことができる。よって、段板２０を金属板で形成することは、段板２０を薄くでき、外観上も軽快な階段にすることができるため好適である。
【００２３】
ところで、本例においては、金属板で形成された段板２０の踏面に木質系素材である集成材によって形成された踏面化粧材２２が載置されており、段板２０の足を載せる部位である踏面の素材を変えている。そのため、可変型階段ユニット１００を室内で利用するに際しても、踏面化粧材２２を載置することにより、金属の踏面が直接足に接することがなく、金属の冷たさを感じることがないため、素足でも快適に可変型階段ユニット１００を利用することができる。なお、踏面化粧材２２の素材は、適宜、変更することが可能であるため、踏面に滑り止め材を貼設したり、絨毯などを敷設したりすることで、踏面を機能的にしたり、踏面の意匠を変更することができるので好適である。
【００２４】
なお、踏面化粧材２２を載置する際に、踏面化粧材２２の幅を対向する側桁１０どうしの間隔と一致するように形成するようにし、隙間なく載置できるようにしてもよい。また、後述する手摺支持部材７０が側桁１０と段板２０との間に配設される場合には、踏面化粧材２２を載置した際に、手摺支持部７０が位置する部位を切り欠いておくようにすると側桁１０間に隙間なく載置できるため好適である。さらに、手摺支持部材７０が配設された段板２０において踏面化粧材２２の両端に、手摺支持部材７０の厚さを有したスペーサーを装着しても良い。
【００２５】
また、段板２０が金属の薄板で形成されていることにより、踏面化粧材２２が載置されても、段板２０が不自然に厚く見えることがない。よって、可変型階段ユニット１００の設置用途のイメージに応じて、種々の厚みを有した踏面化粧材２２を載置して階段の踏面を変化させることにも適した態様となるため、段板２０が金属の薄板によって形成されることは好適である。
【００２６】
なお、段板２０は、金属板を折り曲げて段板２０が形成されることに限らず、一対の側桁１０を上端側から下端側にかけて一定の間隔を維持して平行配置させることができればよい。よって、金属板の上に集成材が載置させるのではなく、段板２０が単に集成材のみによって形成され、側桁１０に回動自在に連結されていても良い。
【００２７】
ここで、可変型階段ユニット１００には、手摺７３を支持する手摺支持部材７０が設けられており、後述する連結部材３０によって、手摺支持部材７０は側桁１０の上弦材１１と下弦材１２とに段板２０とともに連結されている。ここで、手摺支持部材７０とは、階段を利用した昇降の際に、安全のために手でつかめるようにした手摺７３を設置するための部材である。手摺支持部材７０は、短尺部７１と長尺部７２とを形成する平面略Ｌ字状に形成されたプレート材からなっている。このように、可変型階段ユニット１００は、手摺７３が備えられることから、安全に利用でき、さらに、恒常的に利用するのに適した態様となっている。
【００２８】
手摺支持部材７０を構成する長尺部７２は段板２０の踏面から手摺７３までの距離を決め、手摺７３の高さを一定の距離に保つための所謂「手摺子」の役割をしている。手摺７３は、金属製のフラットバーにより形成されており手摺支持部７０の端部に連結されている。長尺部７２の端部には手摺を取り付けるための手摺取付部７４ａが設けられており、ここに、手摺７３に設けられている手摺連結部７４ｂが連結される。手摺取付部７４ａと手摺連結部７４ｂとには軸孔が設けられており、軸支されて連結する態様となっている。また、手摺連結部７４ｂは、上弦材１１の長さ方向に連続して設けられている手摺支持部材７０の間隔と同じ間隔で、手摺７３の長さ方向に複数設けられている。そのため、手摺７３は上弦材１１と平行リンクしており、上弦材１１と同じ傾斜角度となるため、可変型階段ユニット１００の傾斜角度が変化しても、手摺７３も同様に傾斜する態様となっている。
【００２９】
なお、手摺支持部材７０は平面略Ｌ字状に限らず、平面略Ｔ字状であってもよく、手摺７３を取り付けることができるならば特に限定されるものではない。また、手摺７３の形状を、手を添えても違和感のない略断面円形状としてもよく、さらには、手摺７３に触れた時の肌触りが良い木材や、手摺７３を握ったときに滑り難いゴム材とすることも好適である。
【００３０】
本例においては、手摺支持部材７０は一段おきに段板２０に取り付けられており、手が支えられる手摺７３を安定して取り付けられる間隔を保っている。もちろん、手摺支持部材７０を段板２０に一段ずつ取り付けてもよく、そうすると、手摺７３がいっそう安定して固定されることにもなり、また、隣り合う手摺支持部材７０との間隔が狭くなり不用意に身体が転落する虞が回避されるため好適である。
【００３１】
可変型階段ユニット１００には、各段板２０から独立して立設する各々の手摺支持部材７０を一体化し、安定するように機能させる、つなぎ材７５が設けられている。つなぎ材７５は、平板状の長尺材によって形成されており、最下端の手摺支持部材７０から最上端の手摺支持部材７０に渡って各々の手摺支持部材７０の中間部を連結している。つなぎ材７５は、可変型階段ユニット１００に予め装着されている部材ではなく、可変型階段ユニット１００が所定の高低差に合わせて位置決めされた際に、各手摺支持部材７０に取り付ける部材であって、特に、連結部材３０によって段板２０が固定された後に、つなぎ材７５が取り付けると安定して取り付けができるので好適である。また、つなぎ材７５の両端は、平面略Ｒ状に形成されており、高低差に応じて可変型階段ユニット１００の傾斜角度が変化しても、傾斜に対して常に一定形状の端部を有する態様となっている。つなぎ材７５が設けられることで、各手摺支持部材７０が安定するとともに、手摺支持部材７０間から不用意に階段の外へ身体が飛び出さない態様となるため好適である。なお、つなぎ材７５は各手摺支持部材７０を撓み難くすることができればよく、特に形状や連結状態が問われるものではない。
【００３２】
ところで、段板２０は、幅方向に対向配置された一対の側桁１０の各上弦材１１と各下弦材１２とへの連結状態を回動状態、あるいは、固定状態にする雄ネジからなる連結部材３０によって、一方の側桁１０を構成する上弦材１１と下弦材１２と、他方の側桁１０を構成する上弦材１１と下弦材１２との対向する内側にて連結されている。ここで、この連結状態を図２に基づいて詳述する。図２（ａ）は、連結部材３０による連結状態を示す拡大斜視図である。
【００３３】
ここで、段板２０には、各側片２１の段鼻よりである手前側と、蹴込み方向となる奥側とに離れて、夫々、所定の離間間隔を有した二つの軸孔３１ａ、３１ｂが設けられている。また、幅方向に対向配置された側桁１０の各上弦材１１が対向する側の側面、各下弦材１２が対向する側の側面には、雌ネジ孔３２ａ、３２ｂが長さ方向に渡り一定の間隔を有して、連続して設けられている。そして、段板２０の側片２１に設けられた手前側の軸孔３１ａと上弦材１１に設けられた雌ネジ孔３２ａとが連通した際に、連結部材３０が挿通されて螺合し、また、奥側の軸孔３１ｂと下弦材１２に設けられた雌ネジ孔３２ｂとが連通した際に、連結部材３０が挿通して螺合することで、上弦材１１と下弦材１２とに段板２０が連結されている。
【００３４】
また、手摺７３を支持する手摺支持部材７０は、段板２０とともに側桁１０の上弦材１１と下弦材１２とに連結部材３０によって連結されている。そのため、手摺支持部材７０の短尺部７１には、段板２０と同様に、段板２０の側片２１に設けられた二つの軸孔３１ａ、３１ｂと同じ間隔を有した軸孔３３ａ、３３ｂが設けられている。手摺支持部材７０は、段板２０と同様、上弦材１１と下弦材１２とに取り付けられるが、その際には、手摺支持部材７０が段板２０の側片２１と側桁１０との間に挟み込まれ、段板２０の軸孔３１ａ、３１ｂと手摺支持部材７０の軸孔３３ａ、３３ｂとが連通した状態で連結部材３０を挿通して螺合することで、上弦材１１と下弦材１２とに手摺支持部材７０が連結されている。
【００３５】
ここで、図２（ｂ）に示すように、上弦材１１と下弦材１２との中空部内であって、上弦材１１と下弦材１２とが段板２０の側片２１を固定する側には、上弦材１１と下弦材１２とを形成する角パイプの肉厚よりも厚みを有した金属製の板材３５が上弦材１１と下弦材１２との一端側から他端側に渡り配設されており、上弦材１１もしくは下弦材１２と板材３５とを貫いて雌ネジ孔３２ａ、３２ｂがタップ加工により設けてある。上弦材１１と下弦材１２とにタップ加工して雌ネジ孔３２ａ、３２ｂを設けるよりも、充分な深さを有する雌ネジ孔３２ａ、３２ｂを設けることができるため、板材３５を併用することは好適である。なお、板材３５は上弦材１１と下弦１２とに長さ方向に配設されることに限らず、短く切断された板材３５が、適所に合わせて部分的に配設される態様であっても良い。また、タップ加工により雌ネジ孔３２ａ、３２ｂを設けることに限らず、連結部材３０を螺合することができるならば、各上弦材１１と各下弦材１２とに雌ネジを埋め込む、所謂「インサートナット」を適所に装着する態様であっても良く、こうすると、板材６０を用いた場合よりも重量が軽減されるため好適である。
【００３６】
ここで、連結部材３０は雄ネジによって構成されているため、連結部材３０を緩めることによって、幅方向に対向配置された各側桁１０の上弦材１１と下弦材１２とに、段板２０及び手摺支持部材７０を回動自在な回動状態で連結することができ、連結部材３０を締め付けることによって、回動不能な固定状態で連結することができる。これにより、階高に応じて設置され、昇降時にも、段板が２０、ぐらつき難い可変型階段ユニット１００が実現されている。
【００３７】
また、このような態様の連結部材３０は、各側桁１０の上弦材１１と下弦材１２が対向する内側にて各段板２０及び手摺支持部材７０を連結しているため側桁１０の外側に連結部材３０が露呈しないことから、側桁１０の美観を向上させることができ、また、側桁１０の外側がフラットな状態となっているため、側桁１０に化粧用パネルを貼設して意匠を変更する際にも、連結部材３０が邪魔になるようなことがなく簡便に施工が行い易くなるため好適である。
【００３８】
このように構成された可変型階段ユニット１００は、平行配置された上弦材１１と下弦材１２とに、平行配置された複数の段板２０とからなる平行リンクをなすように構成されている。そのため、連結部材３０を緩めた回動状態であっては、可変型階段ユニット１００を設置する階高が変わっても上弦材１１と下弦材１２どうし、各段板２０どうしを常に略平行に保った状態のまま傾斜角度が変化する。傾斜角度が変化する際には、略水平に配置されている各段板２０が、夫々の離間間隔を増減させ前後へ相対的に位置ズレをし、斜め上下方向に平行配置されている上弦材１１と下弦材１２とが、夫々の離間間隔を増減させ長さ方向へ相対的に位置ズレをしながら傾斜に対応することになる。
【００３９】
また、手摺支持部材７０は、段板２０とともに連結部材３０によって、側桁１０の上弦材１１と下弦材１２とに連結されているため、可変型階段ユニット１００が高低差に応じて傾斜角度を変化させたとしても、手摺支持部材７０は段板２０の下弦材１１と上弦材１２とに対する可変動と同じ可変動をするため手摺支持部材７０と段板２０との位置関係は常に一定となる同姿勢が保たれている。特に本例では、常時、垂直に立設された状態に保たれる。
【００４０】
こうして、階高に関わらず可変型階段ユニット１００が設置されることになるとともに、連結部材３０を締め付けることで、各段板２０を各上弦材１１と各下弦材１２とに固定状態にすることができるため、段板２０がぐらつくことなく安定して昇降ができる。なお、連結部材３０は雄ネジに限定されるものではなく、段板２０を上弦材１１と下弦材１２とに回動自在な回動状態と回動不能な固定状態とに切替え自在とすることができれば特に問われるものではない。よって、リベットやピン等により段板２０を回動自在に軸支し、この軸支する部材とは別途のネジやクランプ等を連結部材３０とし、段板２０を上弦材１１と下弦材１２とに連結する態様であってもよい。
【００４１】
また、連結部材３０は、段板２０を側桁１０の上弦材１１と下弦材１２との双方を固定する事に限らず、一方を固定するものであってもよい。また、可変型階段ユニット１００を恒常的に使用する際に、回動状態に連結されている段板２０と各上弦材１１と下弦材１２とが金属を素材としている場合であれば、設置箇所への位置決めが完了した後に、段板２０を側桁１０に溶接などによる溶着によって固定状態にしてもよい。
【００４２】
ところで、図１に示したように、可変型階段ユニット１００には、可変型階段ユニット１００の上方を階上にて留め付ける留め付け部材４０が設けられている。留め付け部材４０は、留め付けプレート４１と、一対の支持材４２と補強プレート４３とからなる。支持材４２は、平面略Ｌ字状に形成されており、留め付けプレート４１の面に対して略直角になるよう、一対の支持材４２が幅方向に適宜間隔をおいて留め付けプレート４１に固定されている。そして、補強プレート４３は、支持材４２の前端に固着されている。留め付け部材４０は予め階上床面２００の縁から落ち込む箇所にある側壁に留め付けられており、留め付けプレート４１が側壁に面で接して固定されている。よって、側壁に固定された留め付けプレート４１から二本の支持材４２が水平方向に真っ直ぐに突出している。これにより、最上段の段板２０の下面を支持材４２に引っ掛けて可変型階段ユニット１００が階上から階下に斜めに架設されている。
【００４３】
なお、最上段の段板２０の下面には、一方の側片２１から他方の側片２１にかけての幅方向に、奥行の中心を通るようにリブが配設されている。これは段板２０の補強をするとともに、留め付け部材４０に引掛ける際の位置合わせを誘導する冶具にもなるものである。本例においてリブは最上段の段板２０のみに配設されているが、各段板２０に適宜、配設するようにしてもよい。
【００４４】
また、留め付け部材４０は、最上段の段板２０の踏面が、階上床面２００と面で同一となるような所謂「面一」の状態となるように側壁に固定されている。これは、略水平である階上床面２００と面一にすると、最上段の段板２０の踏面を略水平に揃え易いことから好適である。また、最上段の段板２０を、この留め付けの工程で略水平となるように留め付けておくことは、側桁１０に略平行に軸支された各々の段板２０がこれに順じて略水平となるため好適である。
【００４５】
加えて、最上段の段板２０の踏面を階上床面２００と面一にすることで、双方の側桁１０に一定の間隔で架設された段板２０が階高に応じて均等に割り振られることになる。そのため、それぞれの段板２０で構成される蹴上げ高さは、後述する最下段の蹴上げ高さを除き、常に一定となるため好適である。ここで、最上段の段板２０は階上床面２００と合わせることに限るものではなく、最上段の段板２０を一段下がるように留め付け部材４０を留め付けるようにしてもよい。なお、最上段の蹴上げ高さを単に下げるだけでは他の蹴上げ高さと統一されないため、昇る際に、最上段の段板２０から階上床面２００に足を載せるとき、あるいは、降りる際に、最上段の段板２０から一つ下がった段板２０に足を載せるときに、蹴上げ高さの違いから足を踏み外す虞がある。そのため、階高と段板２０の数から、所定の蹴上げ高さを算出し、最上段の段板２０を階上床面２００から算出した蹴上げ高さ分だけ下がったところで、留め付け部材４０によって留め付けるようにすると好適である。なお、留め付け部材４０は、可変型階段ユニット１００の上端側を階上側に留めつけることができれば、その留め付け方法は特に問われるものではなく、側桁１０の上端側に留め付け部材４０を留めつけるようにしてもよい。
【００４６】
また、可変型階段ユニット１００には最下段の段板２０と階下床面３００との間隔を調節する調節支持部５０が備えられており、所定の範囲内で蹴上げ高さを変えることができるようになっている。ここで、最下段の段板２０の下面には、幅方向に適宜間隔をおいて二つの調節支持部５０が設けられており、この二つの調節支持部５０を調節して可変型階段ユニット１００が所定の位置に設置される。
【００４７】
調節支持部５０は、雌ネジ部５１と雄ネジ部５２とからなり、雌ネジ部５１が最下段の段板２０の下面に固定されており、雄ネジ部５２が雌ネジ部５１に螺合している。雄ネジ部５２には階下床面３００と当接する支持面５３が備えられている。また、最下段の段板２０の下面には、幅方向に補強板２３が取り付けられており、この補強板２３を介して調節支持部５０が固定されている。補強板２３により、可変型階段ユニット１００全体の荷重を調節支持部５０に伝える最下段の段板２０が補強されることで、大きな荷重が加わっても撓み難い構造にできるため好適である。このように構成された調節支持部５０は所謂「アジャスターボルト」であり、雄ネジ５２の進退により蹴上げ高さの調節を行う。そのため微小な高さ調節が行い易く、また、頻繁に荷重が加わっても高さがズレ難い構造である。所望の蹴上げ高さが得られたら、支持面５３を階下床面３００に固定することで不用意に位置ズレすることなく安定して可変型階段ユニット１００を設置することができる。なお、調節支持部５０は所望の蹴上げ高さに、適宜、調節することができるならアジャスターボルトに限定するものではない。
【００４８】
したがって、階高に応じた蹴上げ高さを算出した際に、この調節支持部５０を調節し、最下段の蹴上げ高さが算出された蹴上げ高さを有するように設定すると、全体の蹴上げ高さが統一することになる。ここで、上述したように、最上段の段板２０の踏面が、階上床面２００と面一となるように設定した際には、調節支持部５０を調節し、最下段の蹴上げ高さを設定するだけでよいが、最上段の段板２０を階上床面２００よりも一段、落とした場合は、一段落とした分に相当する最上段の蹴上げ高さも考慮したうえで階高に応じた蹴上げ高さを算出して、調節支持部５０を調節し、最下段の蹴上げ高さを設定することは好適である。
【００４９】
可変型階段ユニット１００を階高に応じて設置した際の傾斜角度の変化を図３に基づいて詳述する。図３に示すように、可変型階段ユニット１００は階高に応じて所定の傾斜角度が得られ、この傾斜角度に応じて階段が設置されるのに必要な奥行きとなる有効奥行きも決定される。よって、図３（ａ）と図３（ｂ）を比較しても判るように、階高ｈ１は階高ｈ２よりも高いため、傾斜角度も急になり階段が設置される奥行ｄ１が奥行ｄ２よりも狭くなっている。つまり、階高が高くなるにつれ傾斜角度も急になり階段が設置される奥行きも狭くなる。また、階高が低くなるにつれ傾斜角度も緩やかになり階段が設置される奥行きも広くなる。
【００５０】
ここで、上下する各段板２０の垂直方向の間隔が蹴上げ高さとなり、上下する各段板２０の手前側端部である段鼻どうしの水平方向の間隔が踏面を形成することとなる。夫々の段板２０は一定の間隔で上弦材１１と下弦材１２とに軸支されており、これに伴い、各蹴上げ高さも常に一定となる。同様に、段板２０が前後に位置ズレする間隔も一定であることから、各踏面も常に一定となる。上下の段板２０が重なり合う領域であって、上方の段板２０の手前側端部から下方の段板２０の奥側端部までの水平方向の距離が蹴込み深さとなる。
【００５１】
ここで、可変型階段ユニット１００を設置する際に、傾斜角度に応じた奥行きである有効奥行きを得ることができない場合が生じたり、所定の設置部位に調節支持部５０を正確に設置できない場合が生じる。そういった状況に応じて、調節支持部５０を調節して最下段の段板２０と階下床面４００との間隔を高くしたり低くしたりする。そうすると、可変型階段ユニット１００の傾斜角度が変化するため、有効奥行きを狭くしたり広くしたりして可変型階段ユニット１００自体が変化する。つまり、調整支持部５０は傾斜角度や有効奥行を微調整することができる態様でもある。
【００５２】
なお、上述したように、最上段の蹴上げ高さが他の蹴上げ高さに対し不統一であると足を踏み外す虞があったが、最下段の蹴上げ高さに関しては、他の蹴上げ高さに対して不統一であっても、降りる際に、連続した蹴上げ高さを降りてくることになるが、最下段の蹴上げ高さが違っていても、階下床面３００に最後に足を置くことになるため、違和感を生じるが、足を踏み外すことがない。そのため、最下段の蹴上げ高さを他の蹴上げ高さに対し差異があるように調節しても、昇降に支障をきたすほどの障害にはなり難い。したがって、調節支持部５０を調節して傾斜角度や有効奥行を微調整することで不具合は生じ難い。
【００５３】
このように、可変型階段ユニット１００は階高に応じて適宜、設置することができるが、予め可変型階段ユニット１００を、設置する階高に合わせて段板２０と上弦材１１と下弦材１２とが固定された固定状態にして建築現場へ搬入しても良い。そうすると、可変型階段ユニット１００設置後に、高所に位置する連結部材３０を締め付ける作業が、予め低所にてできることになるため好適である。また、可変型階段ユニット１００を構成する側桁１０、段板２０、調節支持部５０などの構成部材を別々に建築現場に搬入し、現場にて可変型階段ユニット１００を組み立てることも可能となる。そのため、可変型階段ユニット１００を重機によって建築現場への搬入ができないような場所においても、人力で搬入し易いように構成部材ごとに分解できるため好適である。
【００５４】
なお、可変型階段ユニット１００は上述した直通階段として使用されるだけではなく、各種、設置用途に応じて使用することが可能となる。ここで、使用状態の一例として、可変型階段ユニット１００を用いて、昇降の途中に踊り場２５０を有した場合を図４に示す。
【００５５】
ここで、階高の中間部に踊り場２５０を設置する。踊り場２５０は、壁の上下方向の中間部に固定され、壁からアーム状に突出した二つの片持ち梁８０によって支えられている。このような態様の踊り場２５０は正確に設置することは困難であり、位置ズレがおきるなどの設置ミスを招く虞がある。そのような際にも、可変型階段ユニット１００であれば階高に関わらず設置することができるため好適である。
【００５６】
また、踊り場２５０のように調節支持部５０が載置される載置部分が限定されてくると、正確に所望の位置に調節支持部５０が載置されなければならない。その際に、調節支持部５０を調節することで、可変型階段ユニット１００の傾斜角度や有効奥行を微調整し、調節支持部５０の載置部位を所望の載置部分に位置するよう正確な位置合わせができるため好適である。
【図面の簡単な説明】
【００５７】
【図１】本発明の一実施形態である可変型階段ユニットを示す斜視図である。
【図２】本発明の一実施形態である可変型階段ユニットの主要部拡大斜視図である。
【図３】本発明の一実施形態である可変型階段ユニットを示す断面側面図である。
【図４】本発明の可変型階段ユニットの使用状態の一例を示す斜視図である。
【符号の説明】
【００５８】
１０  側桁
１１  上弦材
１２  下弦材
２０  段板
２１  側片
２２  踏面化粧材
２３  補強板
３０  連結部材
３１ａ  軸孔
３１ｂ  軸孔
３２ａ  雌ネジ孔
３２ｂ  雌ネジ孔
３３ａ  軸孔
３３ｂ  軸孔
３５  板材
４０  留め付け部材
４１  留め付けプレート
４２  支持材
４３  補強プレート
５０  調節支持部
５１  雌ネジ
５２  雄ネジ
５３  支持面
７０  手摺支持部材
７１  短尺部
７２  長尺部
７３  手摺
７４ａ  手摺取付部
７４ｂ  手摺連結部
７５  つなぎ材
１００  可変型階段ユニット
２００  階上床面
２５０  踊り場
３００  階下床面
【図１】
2005232886.tif 000003
【図２】
2005232886.tif 000004
【図３】
2005232886.tif 000005
【図４】
2005232886.tif 000006